(57)【要約】【課題】  ホルダとケースの組み付け性を向上した移動物体検出装置を提供するものである。【解決手段】ホールＩＣ２と、ホールＩＣ２を備えたホルダ６と、ホルダ６に装着され、ホールＩＣ２を覆うケース７と、ホルダ６とケース７とで形成される空間Ｓを封止するＯリング１１と、を備えた移動物体検出装置１において、ケース７は、ホルダ６と組み付けられる際に、ホルダ６に装着されたＯリング１１と当接する傾斜面７２を有し、傾斜面７２は、ケース７の外壁面７ｃから内壁面７ｄに向かって傾斜している。【選択図】  図２
2016102658.tif 000002
【特許請求の範囲】
【請求項１】
磁気検出素子と、
前記磁気検出素子を備えたホルダと、
前記ホルダに装着され、前記磁気検出素子を覆うケースと、
前記ホルダと前記ケースとで形成される空間を封止する弾性部材と、を備えた移動物体検出装置において、
前記ケースは、前記ホルダと組み付けられる際に、前記ホルダに装着された弾性部材と当接する傾斜面を有し、
前記傾斜面は、前記ケースの外壁面から内壁面に向かって傾斜していることを特徴とする移動物体検出装置。
【請求項２】
前記傾斜面は、前記弾性部材が装着される前記ケースの溝部近傍に形成されることを特徴とする請求項１に記載の移動物体検出装置。
【請求項３】
前記溝部は、前記ケースと前記ホルダとが組み付けられる際に、前記内壁面によって覆われることを特徴とする請求項１に記載の移動物体検出装置。
【発明の詳細な説明】
【技術分野】
【０００１】
本発明は、被検出体（歯車等）の移動を検出する移動物体検出装置に関するものである。
【背景技術】
【０００２】
従来、移動物体検出装置が種々提案されており、例えば特許文献１に開示されている。斯かる移動物体検出装置は、磁気検出素子と、前記磁気検出素子に磁界を加える磁石と、前記磁気検出素子と電気的に接続された基板と、前記磁石と前記基板とを配設し、前記基板と電気的に接続するリード端子とを備えたホルダと、前記磁気検出素子と前記磁石と前記基板とを覆うケースと、前記ケースに設けられる孔部と、前記ホルダに設けられ前記孔部に嵌合する突起部とを備え、前記孔部を前記突起部に嵌合させて前記ホルダと前記ケースとを固定するものであった。
【先行技術文献】
【特許文献】
【０００３】
【特許文献１】特開２０１１−７６７０号公報
【発明の概要】
【発明が解決しようとする課題】
【０００４】
しかしながら、このような移動物体検出装置は、前記ホルダに予め装着したリング型の弾性部材が、前記ケースの開口に接触することで前記ホルダからはずれてしまう虞があった。
【０００５】
そこで、本発明は、前述した問題点に着目し、ホルダとケースの気密性と組み付け性を向上した移動物体検出装置を提供するものである。
【課題を解決するための手段】
【０００６】
本発明は前記目的を達成するため、磁気検出素子と、前記磁気検出素子を備えたホルダと、前記ホルダに装着され、前記磁気検出素子を覆うケースと、前記ホルダと前記ケースとで形成される空間を封止する弾性部材と、を備えた移動物体検出装置において、前記ケースは、前記ホルダと組み付けられる際に、前記ホルダに装着された前記弾性部材と当接する傾斜面を有し、前記傾斜面は、前記ケースの外壁面から内壁面に向かって傾斜しているものである。
【０００７】
また、前記傾斜面は、前記弾性部材が装着される前記ケースの溝部近傍に形成されるものである。
【０００８】
また、前記溝部は、前記ケースと前記ホルダとが組み付けられる際に、前記内壁面によって覆われるものである。
【発明の効果】
【０００９】
本発明によれば、所期の目的を達成でき、ホルダとケースの気密性と組み付け性を向上した移動物体検出装置を提供することができる。
【図面の簡単な説明】
【００１０】
【図１】本発明の第１実施形態の移動物体検出装置の側面図。
【図２】図１中Ａ−Ａ線の断面図。
【発明を実施するための形態】
【００１１】
本発明の第１実施形態の移動物体検出装置１は、磁気検出素子２と、磁気検出素子２に磁界を加える磁石３と、磁気検出素子２と電気的に接続された基板４と、磁石３と基板４とを配設し、基板４と電気的に接続するリード端子５とを備えたホルダ６と、磁気検出素子２と磁石３と基板４とを覆うケース７とを備えている。
【００１２】
磁気検出素子２は、ホールＩＣなどからなり、被検出体である移動物体の移動を検出する。ホールＩＣ２は、基板４の図２中下面側に搭載され、ケース７に接した状態にて配置される。ホールＩＣ２は、被検出体の移動に伴う磁力の変化を電気信号に変換し、リード端子５を介して外部に出力する。
【００１３】
磁石３は、永久磁石からなり、基板４に設けた貫通孔４ａを貫通し、ホルダ６に接着剤にて固定されており、ホールＩＣ２に磁界を与えるものである。
【００１４】
基板４は、ガラスエポキシ樹脂などの硬質の絶縁材に、銅などの導電材料からなる配線パターンを設けたものである。この基板４は、ホールＩＣ２、リード端子５と電気的に接続している。また、基板４には、回路素子４ｂが実装されている。
【００１５】
リード端子５は、屈曲形成された３本のリードフレームからなり、ホルダ６に主要部が内蔵されている。各リード端子５の一端部５ａは、ホルダ６に設けたコネクタ部８から露出しており、リード端子５の他端部５ｂは半田によって基板４と電気的に接続されている。なお、コネクタ部８は、ホールＩＣ２からの出力を外部機器へ接続伝達するものである。
【００１６】
ホルダ６は、合成樹脂からなり、コネクタ部８を一体に備えた構造体である。ホルダ６のコネクタ部８の反対側には、ホールＩＣ２、磁石３及び基板４が固定されている。
【００１７】
ホルダ６は、円柱形状をしており、二つの環状の溝部９、１０が形成されている。一方の溝部９は、他方の溝部１０より直径が小さく、他方の溝部１０より磁気検出素子２側で、ケース７で覆われる位置に設けられている。他方の溝部１０は、ホルダ６の中程に設けられている。そして、各々の溝部９、１０には、封止部材であるＯリング１１、１２が装着されている。Ｏリング１２は、移動物体検出装置１を図示しない機器などに取り付けた場合に、気密性を確保するためである。
【００１８】
ホルダ６は、ホルダ６とケース７とを嵌合固定する嵌合部１３を構成する突起部１３ａを備えている。突起部１３ａは、突起部１３ａ同士が、少なくとも一対を構成できるように、２つ設けられている。
【００１９】
ケース７は、合成樹脂からなり、円盤状の底板７ａと、円筒形状の周壁部７ｂとを備えたカップ形状である。このケース７は、ホールＩＣ２、磁石３、基板４を覆っている。ホルダ６の溝部９に設けたＯリング１１が、ホルダ６の溝部９とケース７の周壁部７ｂの内側との間で圧縮されて、ホルダ６とケース７とで形成される空間内に水や空気などが入り込まないように封止している。
【００２０】
また、ケース７は、周壁部７ｂの内壁面側に傾斜面７２を有している。傾斜面７２は、その内壁側端部が、溝部９の端と当接するか、もしくはその近傍（例えば、０．２ｍｍ〜１．５ｍｍであって、特に０．５ｍｍが好ましい）に位置するように成形されている。
【００２１】
また、ケース７は、傾斜面７２がケース７の外壁面７ｃから内壁面７ｄに向かって傾斜していることによって、ホルダ６がケース７内に進行する際に、Ｏリング１１の表面が傾斜面７２に当接し、傾斜に従って徐々に溝部９内に圧入されていくことによって、Ｏリング１１が外れてしまうことがなく、気密性の高い組み付けができる。
【００２２】
このように、ホールＩＣ２と、ホールＩＣ２を備えたホルダ６と、ホルダ６に装着され、ホールＩＣ２を覆うケース７と、ホルダ６とケース７とで形成される空間Ｓを封止するＯリング１１と、を備えた移動物体検出装置１において、ケース７は、ホルダ６と組み付けられる際に、ホルダ６に装着されたＯリング１１と当接する傾斜面７２を有し、傾斜面７２は、ケース７の外壁面７ｃから内壁面７ｄに向かって傾斜していることによって、ホルダ６がケース７内に進行する際に、Ｏリング１１の表面が傾斜面７２に当接し、傾斜に従って徐々に溝部９内に圧入されていくことによって、Ｏリング１１が外れてしまうことがなく、気密性の高い組み付けが可能となる。
【００２３】
また、傾斜面７２は、Ｏリング１１が装着されるケース７の溝部９近傍に形成されることによって、気密性の高い組み付けが可能となる。
【００２４】
また、溝部９は、ケース７とホルダ６とが組み付けられる際に、内壁面７ｄによって覆われることによって、Ｏリング１１が溝部９内に完全に押しこまれるため、気密性の高い組み付けが可能となる。
【産業上の利用可能性】
【００２５】
本発明は、磁気検出素子を備えたホルダをケースで覆った移動物体検出装置に利用可能である。
【符号の説明】
【００２６】
１    移動物体検出装置
２    磁気検出素子（ホールＩＣ）
３    磁石
４    基板
５    リード端子
６    ホルダ
７    ケース
７ａ  底板
７ｂ  周壁部
７ｃ  外壁面
７ｄ  内壁面
９、１０  溝部
１１、１２  Ｏリング（弾性部材）
７２  傾斜面
Ｓ    空間
【図１】
2016102658.tif 000003
【図２】
2016102658.tif 000004
【手続補正書】
【提出日】平成27年1月23日(2015.1.23)
【手続補正１】
【補正対象書類名】図面
【補正対象項目名】図１
【補正方法】変更
【補正の内容】
【図１】
2016102658.tif 000005